(57)【特許請求の範囲】
【請求項１】
フラットバーの先端部に、物（４）を縛るテープ状紐（３）幅以上で、テープ状紐（３）の両端部を楽に絞める、すり割溝を有し、テープ状紐（３）を巻き付けて、縛るための締め付け具（１）。
【発明の詳細な説明】
【０００１】
【発明の属する分野】
本発明は、古新聞、段ボール紙または輸送物等の被包装物品を紐類で縛る。
【０００２】
【従来の技術】
従来は手で紐類を物品に巻き絞めつけてその両端を結んで縛る方法、結束具を使用し結んで縛る方法、バンドで絞める方法、管に通して圧着する方法などがある。結束器−特開平１１−２６３３２５等がある。
【０００３】
【発明が解決しようとする課題】
物を縛るとき、手で紐を物に巻き付けて緊張して結束するか、市販の結束機で結束している。日常家庭においても、縛りたい物が沢山あり、それらは形、大きさ等、千差萬別で、古新聞、不揃いの不要段ボール紙など、木切れ、など沢山ある。これらを機械結束器に掛ける事は、緒事情により到底出来ない。縛る場所でも事欠く、多種多様な物を縛るには、手でないと縛れない物が多い、手の場合は緊張に力を要し、また緊張を緩めず結束するのが困難な場合が多い。縛るには、それに合った力と、結び方の技量を要する。誰にでも出来る事ではない。また縛るとき、緩まないようにする為に、強度的には１回巻きで良いが、数回巻きにして、紐を絡ませて、緩みを少なくしてから結ぶ事が多い、すると数倍分の量の紐と、手間や余分の紐が必要になる。また結んだ後で、余分な部分も切り捨てる事で、切る手間と紐の無駄が何倍も多い。ごみも多くなる。
【０００４】
テープ状紐で、物を縛るとき、手で引っ張ると、必然的に細く捩れてしまう、また結びと、捩れは必ず同時に起こる。結んで縛ると、結び目が出来、この結び目で、後で何かと困る事も多い。品物に傷が付くなど、見た目も奇麗でない。
細く捩れたテープ状紐は、引っ張る手に食い込んで、手が痛くて充分な縛りが出来ない、捩れた部分で、品物に傷をつけることも多い。
【０００５】
しかしテープ状紐には、上手に特性を活かして使えば利点が多い。薄くてもそれなりの強度もあり、荷造り等に於いて、取扱い易く、比較的に値段も安い。薄いことは大きな魅力である。捩れないように、品物に適当な力で絞め付けて、両端を結ばない方法で、どんな場所でも気楽に、結ぶ技術を必要とせず、テープ状紐幅のままで、縛れたら理想である。
以上の課題がある。
【０００６】
【課題を解決するための手段】
上記目的を達成する為には、まずテープ状紐を使用し、縛る物に巻き付けて、テープ状紐が細くよじれないように、そしてまた左右にづれないように、一直線上に引締める為の溝を有した、絞め付け縛り具なる道具を考案した。縛る方法は、テープ状紐（３）で、捩れないように、縛る物（４）に巻き、そのテープ状紐（３）の両端が、紐幅のまま一直線状で、適当な長さで重なり合うようにして、重なり合ったテープ状紐（３）の中ほどを、絞め付け縛り具（１）の、溝に挟み絞め付け縛り具（１）を左右どちらかに廻し、テープ状紐（３）を絞め付け縛り具（１）に巻き付けて縛る物（４）を、適当な強さで締め付けて、双方に緊張した状態のテープ状紐（３）の上に所要な長さにカットされた繋ぎの接着テープ（５）を貼り付ける。それから、絞め付け縛り具（１）を反転させて、巻き付いたテープ状紐（３）を緩めて、絞め付け縛り具（１）を抜き去り、絞め付け縛り動作は完了する。以上が課題を解決するための手段である。
【０００７】
【発明の実施の形態】
発明の実施の形態を図面を参照にして説明する。
図１に示す如く、縛るテープ状紐（３）幅より、少し広めの溝を施した絞め付け縛り具（１）を用意する。図２で示すように、縛ろうとする物（４）にテープ状紐（３）を、捩れないように軽く一回巻きし、両端の重なり部分が、絞め付け縛り具（１）の幅の約３倍に切る。其の重なり合ったテープ状紐（３）のほぼ真中を絞め付け縛り具（１）の溝に挟む。図３、そのまま絞め付け縛り具（１）を、左右どちらかに回転させると、テープ状紐（３）は絞め付け縛り具（１）に巻き付き、そのまま、縛る物（４）を締め付ける。適当に絞め付けたところで止め、其の緊張状態で、絞め付け縛り具（１）を片手で保持して、双方に緊張したテープ状紐（３）の上に、もう一方の手で、繋ぎの接着テープ（５）を適当な長さで貼り付ける。次に絞め付け縛り具（１）を反転し、巻き付いたテープ状紐（３）を緩め抜き去る。図４の如く絞め付け縛り動作は完了する。
【０００８】
【実施例１】
古新聞紙二つ折り重量８ｋｇを縛る、絞め付け具は平鉄で幅１３ｍｍ、厚さ３ｍｍ、長さ４００ｍｍ、挟む溝は、幅３ｍｍ、溝長さ６０ｍｍ。テープ状紐の材質はポリプロピレン、幅５０ｍｍ、厚みは、０．０２ｍｍ、絞め付けたテープ状紐の張力は１５ｋｇ、縛りは２ヶ所、絞めつけ具一回転で紐を引締める長さは、絞め付け具の外周の２倍になる為、６．４ｃｍ絞め付けることになる。双方に緊張したテープ状紐の上に繋ぎの接着テープを貼り、絞め付け具を反転し緩め抜き去り、縛り終了。
【０００９】
【実施例２】
廃ダンボール紙、不揃いサイズ、約縦７５ｃｍ、横５０ｃｍ、重量８ｋｇ、絞め付け具、テープ状紐は、実施例１に同じ、絞め付けたテープ状紐の張力は１０ｋｇ、で縦横２ケ所。後の操作は実施例１と同じ。
【００１０】
【発明の効果】
本発明は、以下に記載されるような効果を奏す。
テープ状紐（３）の幅のままで、一直線上に、均等に引っ張られるので、テープ状紐（２）が捩れないので、繋ぐ接着テープ（５）の、繋ぎ効果は１００％である。また絞め付け力は、絞め付け縛り具（１）により倍化されるので、容易に強く締め付けが出来るし、手加減でコントロール出来る。また縛るテープ状紐（３）に、直接触れないので、手が痛くない。落ち着いて作業も出来る。結び目がないので、奇麗で取扱いやすい。また捩れで起こる商品の痛みも無い。結ぶ作業が無いので、結びの技量が必要無くて、作業が楽で、しかも簡単で比較的速い。絞め付けた状態を片手でも、維持出来るので、もう一方の手で、落ち着いて繋ぎの接着テープ（５）を貼る作業も出来る。
【００１１】
紐を引締める長さは一回転で締め付け縛り具（１）の外周の長さの２倍になる為、縛る速さは、結構速い。例えば幅２ｃｍ、厚み０．３ｃｍの締め付け具ならば一回転で９．２ｃｍ紐を引締める。またテープ状紐が使用出来るのは、コストや管理面で楽である。また物を縛る紐は、１回巻きなので紐の使用量が少ないので、コスト、塵、作業の面で効果がある。紐は数回巻くことも可能である。
【００１２】
道具としては、シンプルな絞め付け縛り具１本で、縛り作業が出来るので、あまり場所を選ばない。テープ状紐、絞め付け縛り具、繋ぎの接着テープの３品で理想的な縛りが出来る。また段ボール箱など多数積み上げての、運送、搬送に於いても、崩れて困る個所にだけ、幅広のテープとか、帯を巻き付け、荷物を安定させる等の場合にも応用できる。日常では、家庭の古新聞、古段ボール紙などの廃品の縛りにも重宝する。
【図面の簡単な説明】
【図１】絞め付け縛り具（１）の斜視図である。
【図２】テープ状紐（３）の重なり部分のほぼ中央部を絞め付け縛り具（１）に挟んだ斜視図である。
【図３】テープ状紐（３）を、絞め付け縛り具（１）に巻き付けて、物（４）を絞め付けて緊張しているところで、テープ状紐（３）に繋ぎの接着テープ（５）を貼り付ける寸前の斜視図である。
【図４】テープ状紐（３）を接着テープ（５）で繋ぎ、物（４）を縛り終わった斜視図である。
【符号の説明】
１  絞め付け縛り具
２  欠番
３  テープ状紐
４  物
５  繋ぎ接着テープ
【図１】
0004122480.tif 000002
【図２】
0004122480.tif 000003
【図３】
0004122480.tif 000004
【図４】
0004122480.tif 000005